(57)【特許請求の範囲】
【請求項１】
建物に指紋のリードデータと登録デートとの照合に基づいてＩＤ判別する複数のＩＤ判別手段を備えたＩＤ判別システムにおいて、上記複数のＩＤ判別手段のうち特定の利用者が通行するセキュリティ性の高い所に設置されたＩＤ判別手段は、登録データとして上記セキュリティ性の高い所に設置されたＩＤ判別手段を使用する人の指紋を登録するとともに、該登録データを全ての利用者が通行するセキュリティ性の低い所に設置されたＩＤ判別手段にダウンロードし、上記セキュリティ性の低い所に設置されたＩＤ判別手段は、登録データとして上記セキュリティ性の低い所に設置されたＩＤ判別手段しか使用しない人の指紋を登録するとともに、上記セキュリティ性の高い所に設置されたＩＤ判別手段からダウンロードされた登録データを登録することを特徴とするＩＤ判別システム。
【請求項２】
請求項１記載のＩＤ判別システムにおいて、上記複数のＩＤ判別手段のうち上記セキュリティ性の高い所に設置されたＩＤ判別手段の指紋照合精度よりも上記セキュリティ性の低い所に設置されたＩＤ判別手段の指紋照合精度を低く設定することを特徴とするＩＤ判別システム。
【請求項３】
請求項１または２記載のＩＤ判別システムにおいて、上記セキュリティ性の高いＩＤ判別手段は、建物内の各部屋のキーのキー収納部の蓋をロックするロック機構を有し指紋照合に基づいて該ロック機構のロック状態を解除してキーを取り出し可能にするキーボックスであり、上記セキュリティ性の低いＩＤ判別手段は、建物の通用口に設けられて指紋照合に基づいて建物への通行を制御する通用口ＩＤ判別装置であることを特徴とするＩＤ判別システム。
【請求項４】
請求項１ないし３のいずれかに記載のＩＤ判別システムにおいて、上記複数のＩＤ判別手段は、テンキーを有すると共に、ＩＤ判別条件として、指紋照合の他に上記テンキーにより入力される暗証番号と登録番号との照合をさらに含めることを特徴とするＩＤ判別システム。
【請求項５】
請求項４に記載のＩＤ判別システムにおいて、上記複数のＩＤ判別手段は、指紋の特徴点データがあらかじめ決められた許容値未満の一定範囲内にあることを示すコードデータを暗証番号と対応付けて記憶する記憶部を有し、指紋データ登録時の指紋の特徴点データが前記許容値未満の一定範囲内にあるときは、前記コードデータを生成して前記特徴点データ及び登録時の暗証番号と対応付けて前記記憶部に記憶し、指紋照合時の指紋の特徴点データが前記記憶部に記憶された特徴点データと比較して不一致であり、かつ指紋照合時に入力された暗証番号が前記コードデータと対応付けられて前記記憶部に記憶されているときは、指紋の特徴点データの照合レベルを所定範囲内の照合レベルに変えて指紋照合精度を変化させることを特徴とするＩＤ判別システム。
【請求項６】
請求項５記載のＩＤ判別システムにおいて、上記セキュリティ性の低いＩＤ判別手段は、指紋照合精度として、指紋の照合レベルがゼロとなる指紋なしのモードを有することを特徴とするＩＤ判別システム。
【発明の詳細な説明】
【０００１】
【発明の属する技術分野】
この発明は、建物に指紋のリードデータと登録データとの照合に基づいてＩＤ判別するＩＤ判別手段を複数備えたＩＤ判別システムに関するものである。
【０００２】
【従来の技術】
従来、指紋照合に基づいてＩＤ判別するＩＤ判別システムとして、あらかじめ指紋を登録する登録器と、指紋をリードしそのリードした指紋を上記登録器に登録された登録指紋とを照合する照合器とを別々に備えるものがある。
【０００３】
【発明が解決しようとする課題】
しかしながら、上述したＩＤ判別システムにおいては、登録器と照合器ともに光学系を使って指紋をリードするため、双方の光学系の歪み及び誤差により照合率が悪くなるという問題点があった。特に、建物に指紋照合に基づいてＩＤ判別するＩＤ判別手段が複数存在する場合に顕著であった。
【０００４】
この発明は上述した従来例に係る問題点を解消するためになされたもので、建物に指紋のリードデータと登録データとの照合に基づいてＩＤ判別するＩＤ判別手段を複数備えたＩＤ判別システムにおいて、光学系の歪みや誤差を吸収して照合率を高めることができるＩＤ判別システムを得ることを目的とする。
【０００５】
【課題を解決するための手段】
この発明に係るＩＤ判別システムは、建物に指紋のリードデータと登録データとの照合に基づいてＩＤ判別する複数のＩＤ判別手段を備えたＩＤ判別システムにおいて、上記複数のＩＤ判別手段のうちセキュリティ性の高い所に設置されたＩＤ判別手段で指紋登録を行うことを特徴とするものである。
【０００６】
また、上記複数のＩＤ判別手段のうちセキュリティ性の高い所に設置されたＩＤ判別手段の指紋照合精度よりもセキュリティ性の低い所に設置されたＩＤ判別手段の指紋照合精度を低く設定することを特徴とするものである。
【０００７】
また、上記複数のＩＤ判別手段のうちセキュリティ性の高い所に設置されたＩＤ判別手段を利用する人の登録データをセキュリティ性の低い所に設置されたＩＤ判別手段にダウンロードすることを特徴とするものである。
【０００８】
また、上記セキュリティ性の高いＩＤ判別手段は、建物内の各部屋のキーのキー収納部の蓋をロックするロック機構を有し指紋照合に基づいて該ロック機構のロック状態を解除してキーを取り出し可能にするキーボックスであり、上記セキュリティ性の低いＩＤ判別手段は、建物の通用口に設けられて指紋照合に基づいて建物への通行を制御する通用口ＩＤ判別装置であることを特徴とするものである。
【０００９】
また、上記キーボックスは、登録データとして該キーボックスを使用する人の指紋を登録し、上記通用口ＩＤ判別装置は、登録データとして通用口しか使用しない人の指紋を登録することを特徴とするものである。
【００１０】
また、上記複数のＩＤ判別手段は、テンキーを有すると共に、ＩＤ判別条件として、指紋照合の他に上記テンキーにより入力される暗証番号と登録番号との照合をさらに含めることを特徴とするものである。
【００１１】
また、上記複数のＩＤ判別手段は、指紋照合精度として、指紋の特徴点の照合レベルを変えて指紋照合精度を変化させることを特徴とするものである。
【００１２】
さらに、上記通用口ＩＤ判別装置は、指紋照合精度として、指紋の照合レベルがゼロとなる指紋なしのモードを有することを特徴とするものである。
【００１３】
【発明の実施の形態】
実施の形態１．
以下、この発明の具体的な実施の形態に係るＩＤ判別システムを図面を参照して説明する。
図１はＩＤ判別システムの主要構成を示す外観図である。
図１に示すように、建物に備えられるＩＤ判別手段として、比較的セキュリティ性の低い通用口に設けられて指紋照合に基づいて通用口ドア２の図示しない電気錠を制御する指紋照合装置１と、この指紋照合装置１よりは比較的セキュリティ性の高いロビー内に設けられて建物内の各部屋のキーのキー収納部の蓋をロックするロック機構を有し指紋照合に基づいて該ロック機構のロック状態を解除してキーを取り出し可能にするキーボックス１０とが備えられている。
上記指紋照合装置１は、建物内に通行する人全員が利用し、上記キーボックス１０は、一般的に管理者クラスの特定の数人が利用するようになっている。
【００１４】
ここで、上記指紋照合装置１の外観構成としては、図２に示すように、指紋をリードする指紋リーダ１Ａと、テンキー１Ｂと、表示器１Ｃとを有する。
また、上記キーボックス１０の外観構成としては、図３に示すように、指紋をリードする指紋リーダ１０Ａと、テンキー１０Ｂと、表示器１０Ｃと、建物内９カ所の各部屋のキーを収納するキー収納部１０Ｄを有する。
【００１５】
また、上記指紋照合装置１と上記キーボックス１０の内部構成としては、図４に示す構成を備えている。
すなわち、上記指紋照合装置１は、上述した指紋リーダ１Ａ、テンキー１Ｂ及び表示器１Ｃにバスを介して接続された制御手段としてのＣＰＵ１Ｄ、処理プログラム及び固定データ等を記憶してなるＲＯＭ１Ｅ、処理データ及び入力データ等を一時記憶するＲＡＭ１Ｆを備えていると共に、指紋照合に基づく制御対象としての通用口ドア２の電気錠２ａを開閉制御するためのインターフェース１Ｇ及び上記キーボックス１０との間でデータ伝送するための伝送インターフェース１Ｈを備えている。
【００１６】
他方、上記キーボックス１０は、上述した指紋リーダ１０Ａ、テンキー１０Ｂ及び表示器１０Ｃにバスを介して接続された制御手段としてのＣＰＵ１０Ｄ、処理プログラム及び固定データ等を記憶してなるＲＯＭ１０Ｅ、処理データ及び入力データ等を一時記憶するＲＡＭ１０Ｆを備えていると共に、指紋照合に基づく制御対象としてのキー収納部１０Ｄのロック機構のロック状態を解除してキーを取り出し可能にするためのキー収納部コントローラ１Ｇ及び上記指紋照合装置１との間でデータ伝送するための伝送インターフェース１０Ｈを備えている。
【００１７】
ここで、上記キーボックス１０を利用する人はキーボックス１０で指紋を登録するようにされており、上記指紋照合装置１を利用する、つまり通用口だけ利用する人は指紋照合装置１で指紋を登録するようにされており、セキュリティ性の高い所に設置されたキーボックス１０の指紋照合精度よりもセキュリティ性の低い所に設置された指紋照合装置１の指紋照合精度を低く設定されている。
【００１８】
以下、上記構成に係るＩＤ判別システムの動作を図５ないし図１０に示すフローチャートを参照して説明する。
図５〜図７はキーボックス１０のＲＯＭ１０Ｅ内に格納されてＣＰＵ１０Ｄの制御に基づいて実行されるフローチャートを示すものである。
まず、図５に示すフローチャートおいて、テンキーから指紋登録モードの設定があった場合（ステップＳ１）には、表示器に「指紋登録モード」を表示させると共に（ステップＳ２）、図６に示すフローチャートに移行する。
【００１９】
図６に示すフローチャートにおいて、暗証番号とキー収納部番号からなるあらかじめ決められたＩＤ番号をテンキーから入力することで（ステップＳ３）、指紋がリードされ特徴点が演算される（ステップＳ４，Ｓ５）。演算された特徴点データが所定値「Ａ」以上あるか否かを判定し（ステップＳ６）、所定値「Ａ」以上あると判定された場合には、特徴点データとＩＤ番号がペアでＲＡＭに記憶させる（ステップＳ７）。また、このとき、表示器には指紋登録の「ＯＫ」表示がなされると共に、ＩＤ番号のうちの暗証番号のみと、特徴点データとが指紋照合装置側にも伝送されＲＡＭに記憶されることによりダウンロードされる（ステップＳ８，Ｓ９）。
【００２０】
他方、上記ステップＳ６において、演算された特徴点データが所定値「Ａ」以上ないと判定された場合、すなわち指紋が読み取りにくい場合には、次に、所定値「Ｂ」以上あるか否かが判定され（ステップＳ１０）、所定値「Ｂ」以上あると判定された場合には、特徴点データと読み取られた特徴点データが少ないことを示す「指紋少コード」及びＩＤ番号をＲＡＭに記憶させる（ステップＳ１１）。また、このとき、表示器には指紋登録の「ＯＫ」表示がなされると共に、ＩＤ番号のうちの暗証番号のみと、特徴点データと、「指紋少コード」とが指紋照合装置に伝送されＲＡＭに記憶されることによりダウンロードされる（ステップＳ８，Ｓ９）。
【００２１】
上記ステップＳ１０において、演算された特徴点データが所定値「Ｂ」以上ないと判定された場合、すなわち指紋がさらに読み取りにくい場合には、指紋照合時に照合レベルがゼロとなる指紋なしとしてもよく、このことを示す「指紋無コード」とＩＤ番号をＲＡＭに記憶させる（ステップＳ１２）。また、このとき、表示器には指紋登録の「ＯＫ」表示がなされると共に、ＩＤ番号のうちの暗証番号のみと、「指紋無コード」とが指紋照合装置に伝送されＲＡＭに記憶されることによりダウンロードされる（ステップＳ８，Ｓ９）。
【００２２】
図５に示すフローチャートに戻って、上記ステップＳ１において、指紋登録モードの設定入力がなく、テンキーから指紋照合モードの設定入力があった場合には（ステップＳ１３）、表示器に「指紋照合モード」を表示させる（ステップＳ１４）。この状態で、テンキー入力があり、暗証番号が入力された場合に入力された暗証番号の照合が行われる（ステップＳ１６）。その結果ＮＧの場合には表示器に「ＮＧ」が表示される（ステップＳ１７）ことでステップＳ１５に戻り、ＯＫの場合には表示器に「指を置いて下さい」と表示されることで指紋のリードを行うことになる（ステップＳ１８）。
その後、指紋をリードし、指紋の特徴点データを演算して、暗証番号に該当するＲＡＭ内の特徴点データと所定範囲内で一致するか否かを判定する（ステップＳ１９〜Ｓ２１）。
【００２３】
上記特徴点データの比較後の動作は、図７に示すフローチャートに移行する。すなわち、指紋をリードし演算した特徴点データと暗証番号に該当するＲＡＭ内の特徴点データとの比較結果、一致していると判定された場合には、表示器に「ＯＫ」表示がされると共に、該当するキー収納部の蓋のロックが外されることにより（ステップＳ２２，Ｓ２３）、キーが取り出し又は収納可能になり、取り出し又は収納した後に蓋を閉めることで、再び蓋はオートロックされる（ステップＳ２４，Ｓ２５）。
【００２４】
他方、指紋をリードし演算した特徴点データと暗証番号に該当するＲＡＭ内の特徴点データとの比較結果、不一致であると判定された場合には、入力された暗証番号に該当するＲＡＭ内に記憶されたデータに「指紋少コード」が記憶されているか否かを判定し（ステップＳ２６）、「指紋少コード」の人でなければ、表示器に「ＮＧ」を表示させ（ステップＳ２７）、「指紋少コード」の人であれば、所定の照合レベルの範囲内で指紋の特徴点データが一致するか否かを判定する（ステップＳ２８）。その判定結果、不一致の場合には表示器に「ＮＧ」を表示させ（ステップＳ２７）、一致の場合にはステップＳ２３以下を繰り返す。
このように、指紋をリードし、指紋の特徴点データを演算して、暗証番号に該当するＲＡＭ内の特徴点データと所定範囲内で一致するか否かを判定し、登録時と同じ特徴点データのレベルに照合レベルを変えることで、指紋照合精度を変化させることができる。
【００２５】
次に、図８〜図１０は指紋照合装置１のＲＯＭ１Ｅ内に格納されてＣＰＵ１Ｄの制御に基づいて実行されるフローチャートを示すものである。
まず、図８に示すフローチャートおいて、テンキーから指紋登録モードの設定があった場合（ステップＳ３１）には、表示器に「指紋登録モード」を表示させると共に（ステップＳ３２）、図９に示すフローチャートに移行する。
【００２６】
図９に示すフローチャートにおいて、あらかじめ決められた暗証番号をテンキーから入力することで（ステップＳ３３）、指紋がリードされ特徴点が演算される（ステップＳ３４，Ｓ３５）。演算された特徴点データが所定値「Ａ」以上あるか否かを判定し（ステップＳ３６）、所定値「Ａ」以上あると判定された場合には、特徴点データと暗証番号がペアでＲＡＭに記憶させる（ステップＳ３７）。また、このとき、表示器には指紋登録の「ＯＫ」表示がなされる（ステップＳ３８）。
【００２７】
他方、上記ステップＳ３６において、演算された特徴点データが所定値「Ａ」以上ないと判定された場合、すなわち指紋が読み取りにくい場合には、次に、所定値「Ｂ」以上あるか否かが判定され（ステップＳ３９）、所定値「Ｂ」以上あると判定された場合には、特徴点データと読み取られた特徴点データが少ないことを示す指紋少コード及び暗証番号をＲＡＭに記憶させる（ステップＳ４０）。また、このとき、表示器には指紋登録の「ＯＫ」表示がなされる（ステップＳ３８）。
【００２８】
上記ステップＳ３９において、演算された特徴点データが所定値「Ｂ」以上ないと判定された場合、すなわち指紋がさらに読み取りにくい場合には、指紋照合時に指紋なしとしてもよく、このことを示す指紋無コードと暗証番号をＲＡＭに記憶させる（ステップＳ４１）。また、このとき、表示器には指紋登録の「ＯＫ」表示がなされる（ステップＳ３８）。
【００２９】
図８に示すフローチャートに戻って、上記ステップＳ３１において、指紋登録モードの設定入力がなく、テンキーから指紋照合モードの設定入力があった場合には（ステップＳ４２）、表示器に「指紋照合モード」を表示させる（ステップＳ４３）。この状態で、テンキー入力があり、暗証番号が入力された場合に入力された暗証番号の照合が行われる（ステップＳ４４、Ｓ４５）。その結果ＮＧの場合には表示器に「ＮＧ」が表示される（ステップＳ４６）ことでステップＳ４４に戻り、ＯＫの場合には表示器に「指を置いて下さい」と表示されることで指紋のリードを行うことになる（ステップＳ４７）。
その後、指紋をリードし、指紋の特徴点データを演算して、暗証番号に該当するＲＡＭ内の特徴点データと所定範囲内で一致するか否かを判定する（ステップＳ４８〜Ｓ５０）。
【００３０】
上記特徴点データの比較後の動作は、図１０に示すフローチャートに移行する。
すなわち、指紋をリードし演算した特徴点データと暗証番号に該当するＲＡＭ内の特徴点データとの比較結果、一致していると判定された場合には、表示器に「ＯＫ」表示がされると共に、通用口ドアの電気錠を一時解錠することにより（ステップＳ５１，Ｓ５２）、人はノブを回し入館することができ、入館後、通用口ドアは閉まる（ステップＳ５３，Ｓ５４）。
【００３１】
他方、指紋をリードし演算した特徴点データと暗証番号に該当するＲＡＭ内の特徴点データとの比較結果、不一致であると判定された場合には、入力された暗証番号に該当するＲＡＭ内に記憶されたデータに「指紋少コード」が記憶されているか否かを判定し（ステップＳ５５）、「指紋少コード」の人でなければ、「指紋無コード」の人か否かを判定し（ステップＳ５６）、「指紋無コード」の人であれば、ステップＳ５１を実行すると共にステップＳ５２以下を繰り返す。また、「指紋無コード」の人であれば、所定の照合レベルの範囲内で指紋の特徴点データが一致するか否かを判定する（ステップＳ５７）。その判定結果、不一致の場合には表示器に「ＮＧ」を表示させ（ステップＳ５８）、一致の場合にはステップＳ５１を実行すると共にステップＳ５２以下を繰り返す。
このように、指紋をリードし、指紋の特徴点データを演算して、暗証番号に該当するＲＡＭ内の特徴点データと所定範囲内で一致するか否かを判定し、登録時と同じ特徴点データのレベルに照合レベルを変えることで、指紋照合精度を変化させることができる。
【００３２】
この発明は、上述した実施の形態１に他にも、後述する実施の形態に従って実施することができる。
実施の形態２．
通用口だけ利用する人もすべてキーボックスで指紋を登録するようにしてもよい。
【００３３】
実施の形態３．
上記実施の形態１ではテンキーを用いているが、テンキー以外にＩＤカードを使ってもよく、また、それらを併用するようにしてもよい。
【００３４】
実施の形態４．
キーボックスを２台以上、また、通用口の指紋照合装置を２台以上使うときも同様に実施できる。
【００３５】
実施の形態５．
キーボックスではなく、通常のＩＤ判別装置を使った通行制御を行うときもキーボックスと同様にして実施できる。
【００３６】
【発明の効果】
以上のように、この発明に係るＩＤ判別システムによれば、建物に指紋のリードデータと登録データとの照合に基づいてＩＤ判別する複数のＩＤ判別手段を備えたＩＤ判別システムにおいて、上記複数のＩＤ判別手段のうちセキュリティ性の高い所に設置されたＩＤ判別手段で指紋登録を行うようにしたので、異なるＩＤ判別手段に備えられる光学系に互換性がなくても異なる光学系の歪みや誤差を吸収して照合率を高めることができる。
【００３７】
また、上記複数のＩＤ判別手段のうちセキュリティ性の高い所に設置されたＩＤ判別手段の指紋照合精度よりもセキュリティ性の低い所に設置されたＩＤ判別手段の指紋照合精度を低く設定しても、光学系の歪みや誤差を吸収して照合率を高めることができる。
【００３８】
また、上記複数のＩＤ判別手段のうちセキュリティ性の高い所に設置されたＩＤ判別手段を利用する人の登録データをセキュリティ性の低い所に設置されたＩＤ判別手段にダウンロードすることで、登録を簡略化することができる。
【００３９】
また、上記セキュリティ性の高いＩＤ判別手段は、建物内の各部屋のキーのキー収納部の蓋をロックするロック機構を有し指紋照合に基づいて該ロック機構のロック状態を解除してキーを取り出し可能にするキーボックスとし、上記セキュリティ性の低いＩＤ判別手段は、建物の通用口に設けられて指紋照合に基づいて建物への通行を制御する通用口ＩＤ判別装置とすることで、通用口のセキュリティ性よりも建物内に設置されたキーボックスでのセキュリティ性を高めることができる。
【００４０】
また、上記キーボックスは、登録データとして該キーボックスを使用する人の指紋を登録し、上記通用口ＩＤ判別装置は、登録データとして通用口しか使用しない人の指紋を登録するようにしたので、登録データの分散を図ることができる。
【００４１】
また、上記複数のＩＤ判別手段は、テンキーを有すると共に、ＩＤ判別条件として、指紋照合の他に上記テンキーにより入力される暗証番号と登録番号との照合をさらに含めることで、ＩＤ判別条件を厳しく設定できる。
【００４２】
また、上記複数のＩＤ判別手段は、指紋照合精度として、指紋の特徴点の照合レベルを変えて指紋照合精度を変化させることができる。
【００４３】
さらに、上記通用口ＩＤ判別装置は、指紋照合精度として、指紋の照合レベルがゼロとなる指紋なしのモードを有することで、指紋が読み取れにく場合でもＩＤ判別を可能にすることができる。
【図面の簡単な説明】
【図１】この発明に係るＩＤ判別システムの主要構成を示す外観図である。
【図２】図１に示す指紋照合装置の外観図である。
【図３】図１に示すキーボックスの外観図である。
【図４】図１に示す指紋照合装置とキーボックスの内部構成図である。
【図５】図１に示すキーボックスのＲＯＭ内に格納されてＣＰＵの制御に基づいて実行される指紋登録及び指紋照合時の動作を示すフローチャートである。
【図６】図５に続くフローチャートである。
【図７】図５に続くフローチャートである。
【図８】図１に示す指紋照合装置のＲＯＭ内に格納されてＣＰＵの制御に基づいて実行される指紋登録及び指紋照合時の動作を示すフローチャートである。
【図９】図８に続くフローチャートである。
【図１０】図８に続くフローチャートである。
【符号の説明】
１  指紋照合装置、１Ｂ  テンキー、２  通用口ドア、１０  キーボックス、１０Ｂ  テンキー、１０Ｄ  キー収納部。
【図１】
0003619633.tif 000002
【図２】
0003619633.tif 000003
【図３】
0003619633.tif 000004
【図４】
0003619633.tif 000005
【図５】
0003619633.tif 000006
【図６】
0003619633.tif 000007
【図７】
0003619633.tif 000008
【図８】
0003619633.tif 000009
【図９】
0003619633.tif 000010
【図１０】
0003619633.tif 000011